【手続補正書】
【提出日】平成21年7月27日(2009.7.27)
【手続補正１】
【補正対象書類名】特許請求の範囲
【補正対象項目名】全文
【補正方法】変更
【補正の内容】
【特許請求の範囲】
【請求項１】
データを送信する送信装置と、前記データを受信する受信装置とからなる放送システムにおいて、
前記送信装置は、センサで取得した素材データと、前記受信装置で前記素材データを加工するために用いられる付加情報とを送信する送信手段を有し、
前記受信装置は、
前記素材データと付加情報を受信する受信手段と、
前記素材データと前記付加情報とに基づいて、出力データを生成する生成手段と、
前記出力データに基づき、出力を行う出力手段と
を有する
放送システム。
【請求項２】
前記付加情報は、実世界の物理量を表す実世界情報を含み、
前記生成手段は、前記素材データ、前記実世界情報、及び、前記出力手段の特性を表す特性情報に基づき、前記出力手段の出力から認識される物理量が、前記実世界情報が表す物理量に同定されるように、前記出力データを生成する
請求項１に記載の放送システム。
【請求項３】
前記センサは、画像を撮影するカメラであり、
前記素材データは、前記カメラで撮影された画像であり、
前記出力手段は、画像を表示する表示装置であり、
前記出力データは、前記表示装置で表示される画像であり、
前記実世界情報は、前記カメラの撮影範囲を表す撮影範囲情報を含み、
前記特性情報は、前記表示装置が画像を表示する表示画面の大きさを表す大きさ情報を含む
請求項２に記載の放送システム。
【請求項４】
前記生成手段は、前記素材データである画像、前記実世界情報である撮影範囲情報、及び、前記特性情報である大きさ情報に基づき、前記表示装置で表示される画像から認識される物体の大きさが、実世界での大きさを越えない大きさとなる画像を、前記出力データとして生成する
請求項３に記載の放送システム。
【請求項５】
前記生成手段は、前記素材データである画像、前記実世界情報である撮影範囲情報、及び、前記特性情報である大きさ情報に基づき、前記表示装置で表示される画像から認識される物体の大きさが、実世界での大きさに同定されるように、前記出力データである画像を生成する
請求項３に記載の放送システム。
【請求項６】
前記送信手段は、複数種類のセンサで取得した複数種類の素材データと、各種類の素材データに対応する前記付加情報を送信し、
前記受信装置は、
前記受信手段と、
前記複数種類の素材データそれぞれと、対応する種類の前記付加情報とに基づいて、複数種類の出力データをそれぞれ生成する複数種類の生成手段と、
前記複数種類の出力データに基づき、出力を行う複数種類の出力手段と
を有する
請求項２に記載の放送システム。
【請求項７】
前記付加情報は、前記素材データの加工に用いられる情報であるエフェクト情報を含み、
前記生成手段は、前記エフェクト情報に基づいて、前記素材データに対して加工を施すことにより、前記出力データを生成する
請求項１に記載の放送システム。
【請求項８】
前記受信装置は、ユーザによる加工の指示を受け付ける指示入力手段をさらに有し、
前記生成手段は、前記エフェクト情報、又は、ユーザによる加工を指示するための指示情報に基づいて、前記素材データに対して、ユーザが所望する加工を施す
請求項７に記載の放送システム。
【請求項９】
前記センサは、画像を撮影するカメラであり、
前記素材データは、前記カメラで撮影された画像であり、
前記出力手段は、画像を表示する表示装置であり、
前記出力データは、前記表示装置で表示される画像であり、
前記指示情報は、前記素材データである画像のうちの、前記表示装置に表示する部分の領域を表す表示画枠情報を含み、
前記生成手段は、前記素材データである画像から、前記表示画枠情報が表す領域の画像を抽出することにより、前記出力データを生成する
請求項８に記載の放送システム。
【請求項１０】
前記センサは、画像を撮影するカメラであり、
前記素材データは、前記カメラで撮影された画像であり、
前記出力手段は、画像を表示する表示装置であり、
前記出力データは、前記表示装置で表示される画像であり、
前記エフェクト情報は、前記素材データである画像に合成される被合成データを含み、
前記生成手段は、前記エフェクト情報に基づいて、前記素材データである画像に、前記被合成データを合成することにより、前記出力データを生成する
請求項７に記載の放送システム。
【請求項１１】
前記被合成データは、字幕のデータ、又は、ピクチャインピクチャ用のデータである
請求項１０に記載の放送システム。
【請求項１２】
前記センサは、画像を撮影するカメラであり、
前記素材データは、前記カメラで撮影された画像であり、
前記出力手段は、画像を表示する表示装置であり、
前記出力データは、前記表示装置で表示される画像であり、
前記エフェクト情報は、前記素材データである画像のうちの、前記表示装置に表示する部分の領域を表す表示画枠情報を含み、
前記生成手段は、前記素材データである画像から、前記表示画枠情報が表す領域の画像を抽出することにより、前記出力データを生成する
請求項７に記載の放送システム。
【請求項１３】
前記センサは、画像を撮影するカメラであり、
前記素材データは、前記カメラで撮影された複数ストリームの画像であり、
前記出力手段は、画像を表示する表示装置であり、
前記出力データは、前記表示装置で表示される画像であり、
前記エフェクト情報は、前記素材データである複数ストリームの画像から、１つのストリームの画像を選択することにより、前記表示装置に表示する画像を切り替えるための切り替え情報を含み、
前記生成手段は、前記切り替え情報に基づいて、前記素材データである複数ストリームの画像から、１つのストリームの画像を選択することにより、前記出力データを生成する
請求項７に記載の放送システム。
【請求項１４】
前記付加情報は、実世界の物理量を表す実世界情報を、さらに含み、
前記生成手段は、ユーザによる加工の指示がなかった場合には、前記素材データ、前記実世界情報、及び、前記出力手段の特性を表す特性情報に基づき、前記出力手段の出力から認識される物理量が、前記実世界情報が表す物理量に同定されるように、前記出力データを生成する
請求項８に記載の放送システム。
【請求項１５】
前記受信装置は、ユーザによる加工の指示を受け付ける指示入力手段をさらに有し、
前記生成手段は、前記エフェクト情報、又は、ユーザによる加工を指示するための指示情報に基づいて、前記素材データに対して、ユーザが所望する加工を施す
請求項１０に記載の放送システム。
【請求項１６】
前記エフェクト情報は、前記被合成データの合成を行うタイミングを表すタイミング情報をさらに含み、
前記生成手段は、ユーザによる加工の指示がなかった場合には、前記タイミング情報に基づいて、前記素材データである画像に、前記被合成データを合成することにより、前記出力データを生成する
請求項１５に記載の放送システム。
【手続補正２】
【補正対象書類名】明細書
【補正対象項目名】発明の名称
【補正方法】変更
【補正の内容】
【発明の名称】放送システム
【手続補正３】
【補正対象書類名】明細書
【補正対象項目名】０００１
【補正方法】変更
【補正の内容】
【０００１】
本発明は、放送システムに関し、特に、例えば、放送システムの受信側において、適切な処理を行うことができるようにする放送システムに関する。
【手続補正４】
【補正対象書類名】明細書
【補正対象項目名】００１３
【補正方法】変更
【補正の内容】
【００１３】
本発明の一側面の放送システムは、データを送信する送信装置と、前記データを受信する受信装置とからなる放送システムであり、前記送信装置は、センサで取得した素材データと、前記受信装置で前記素材データを加工するために用いられる付加情報とを送信する送信手段を有し、前記受信装置は、前記素材データと付加情報を受信する受信手段と、前記素材データと前記付加情報とに基づいて、出力データを生成する生成手段と、前記出力データに基づき、出力を行う出力手段とを有する放送システムである。
【手続補正５】
【補正対象書類名】明細書
【補正対象項目名】００１４
【補正方法】変更
【補正の内容】
【００１４】
以上のような一側面においては、前記送信装置において、センサで取得した素材データと、前記受信装置で前記素材データを加工するために用いられる付加情報とが送信される。前記受信装置では、前記素材データと付加情報が受信され、前記素材データと前記付加情報とに基づいて、出力データが生成される。そして、前記出力データに基づき、出力が行われる。
【手続補正６】
【補正対象書類名】明細書
【補正対象項目名】００１５
【補正方法】削除
【補正の内容】
【手続補正７】
【補正対象書類名】明細書
【補正対象項目名】００１６
【補正方法】削除
【補正の内容】
【手続補正８】
【補正対象書類名】明細書
【補正対象項目名】００１７
【補正方法】削除
【補正の内容】
【手続補正９】
【補正対象書類名】明細書
【補正対象項目名】００１８
【補正方法】削除
【補正の内容】
【手続補正１０】
【補正対象書類名】明細書
【補正対象項目名】００１９
【補正方法】削除
【補正の内容】
【手続補正１１】
【補正対象書類名】明細書
【補正対象項目名】００２０
【補正方法】削除
【補正の内容】
【手続補正１２】
【補正対象書類名】明細書
【補正対象項目名】００２１
【補正方法】削除
【補正の内容】
【手続補正１３】
【補正対象書類名】明細書
【補正対象項目名】００２４
【補正方法】変更
【補正の内容】
【００２４】
本発明の一側面によれば、放送システムの受信側において、適切な処理を行うことができる。